(57)【要約】【課題】  １２セグメント／１セグメント放送の双方を同時にかつ選択的に複数の表示装置において視聴することが可能なデジタル放送受信装置を提供する。【解決手段】  １２セグメントチューナー１０１と、これにより受信したストリームの多重分離を行うＴＳ分離部１０３Ａと、このＴＳ分離部１０３Ａで分離した映像信号を復号する１２セグメント映像復号部１０４と、１セグメントチューナー１０２と、これにより受信したストリームの多重分離を行うＴＳ分離部１０３Ｂと、このＴＳ分離部１０３Ｂで分離した映像信号を復号する１セグメント映像復号部１０５と、両復号部１０４、１０５からの第一の映像と第二の映像を複数の表示装置２０Ａ、２０Ｂへ選択的に切替えて出力する表示切替え手段１０８とを備える。【選択図】  図１
2007074092.tif 000002
【特許請求の範囲】
【請求項１】
デジタル放送の一の階層を受信する第一の受信手段と、
前記第一の受信手段によって受信したストリームの多重分離を行う第一の多重分離手段と、
前記第一の多重分離手段によって分離した映像信号を復号する第一の映像復号手段と、
デジタル放送の他の階層を受信する第二の受信手段と、
前記第二の受信手段によって受信したストリームの多重分離を行う第二の多重分離手段と、
前記第二の多重分離手段によって分離した映像信号を復号する第二の映像復号手段と、
前記第一の映像復号手段によって復号された第一の映像と前記第二の映像復号手段によって復号された第二の映像とを、複数の表示装置へ選択的に切替えて出力する表示切替え手段とを備えるデジタル放送受信装置。
【請求項２】
前記第一の受信手段は、地上デジタル放送において伝送帯域を分割して複数階層で構成された放送信号のうち、相対的に弱階層の放送信号を受信し、
前記第二の受信手段は、地上デジタル放送において伝送帯域を分割して複数階層で構成された放送信号のうち、相対的に強階層の放送信号を受信することを特徴とする請求項１記載のデジタル放送受信装置。
【請求項３】
前記表示切替え手段はさらに、第三の映像を入力し、前記第一ないし第三の映像を、複数の表示装置へ選択的に切替えて出力することを特徴とする請求項１または２記載のデジタル放送受信装置。
【発明の詳細な説明】
【技術分野】
【０００１】
本発明は、デジタル放送受信装置、特に１２セグメント放送と１セグメント放送の両方を受信可能なデジタル放送受信装置に関するものである。
【背景技術】
【０００２】
日本の地上波デジタル放送の技術基準としてＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）方式が１９９９年に策定されている。このＩＳＤＢ−Ｔ方式の最大の特徴は、伝送帯域を１３のセグメントに分割し、セグメント単位で変調方式を変更可能なことであり、最大３種類（３階層）の変調方式を組み合わせて伝送できる。例えば、１３セグメントのうち９セグメントを用いて固定受信機向けに高精細放送（ＨＤＴＶ：Ｈｉｇｈ  Ｄｅｆｉｎｉｔｉｏｎ  Ｔｅｌｅｖｉｓｉｏｎ）を、３セグメントを用いて移動受信機向けに標準放送（ＳＤＴＶ：Ｓｔａｎｄａｒｄ  Ｄｅｆｉｎｉｔｉｏｎ  Ｔｅｌｅｖｉｓｉｏｎ）を、１セグメントを用いて携帯受信機向けに簡易放送をそれぞれ提供することが可能となる。この場合、９セグメントを使用する階層を弱階層、３セグメントを使用する階層を中階層、１セグメントを使用する階層を強階層と呼ぶ。
【０００３】
地上波デジタル放送は２００３年より１２セグメントまたは１３セグメントを用いた本放送が開始されているが、更に１セグメント又は３セグメントを使用した放送が２００６年以降に開始される予定である。当面は１２セグメントおよび１セグメントで同一の番組を提供するサイマル放送（サイマルキャスト）が実施される見込みである。なお、以下の説明において、「１２セグメント放送」の語は、同時に受信する他の階層の放送に対して相対的に弱階層となる放送を意味するものであり、１３セグメント放送をも指し、１セグメント放送又は３セグメント標準放送に対する９セグメント高精細放送、あるいは１セグメント放送に対する３セグメント標準放送を指すものとしても用いる。
【０００４】
１２セグメント放送は、広い帯域を利用して高精細な画像・音声を提供できるものの、ノイズによる誤りに弱く、移動しながらの受信には不向きであるという特徴がある。一方、１セグメント放送は、帯域が狭く伝送レートは低いが、誤りに強く移動しながらの受信に適しているという特徴がある。
【０００５】
移動／停止を頻繁に繰り返す車載用デジタル放送受信装置等の場合、１２セグメント放送、１セグメント放送共に対応することが望まれており、両放送とも受信可能な端末の開発が進められている。
【０００６】
１２セグメント放送、１セグメント放送ともに対応した従来のデジタル放送受信装置は、図２に示すデジタル放送受信装置３０のように、１２セグメントチューナー１０１、１セグメントチューナー１０２、スイッチャー１０９、ＴＳ（Ｔｒａｎｓｐｏｒｔ  Ｓｔｒｅａｍ）分離部１０３、１２セグメント映像復号部１０４、１セグメント映像復号部１０５、音声復号部１０６で構成されている。まず、１２セグメントチューナー１０１および１セグメントチューナー１０２により受信波の復調が行われ、スイッチャー１０９を通して、いずれかのトランスポートストリーム（以下、単にＴＳという）が出力される。ＴＳとは、ＭＰＥＧ（Ｍｏｖｉｎｇ  Ｐｉｃｔｕｒｅ  Ｅｘｐｅｒｔ  Ｇｒｏｕｐ）２Ｓｙｓｔｅｍｓで規定されたプロトコルで、映像、音声、データなどを多重化し伝送に好適な信号形式としたパケット単位の信号である。放送データは、ＭＰＥＧ２Ｓｙｓｔｅｍｓで規定される複数個のＴＳＰ（Ｔｒａｎｓｐｏｒｔ  Ｓｔｒｅａｍ  Ｐａｃｋｅｔ；以下、ＴＳパケットともいう）からなるデータセグメント単位で構成され、これにパイロット信号を付けたＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）ブロックを１３個組み合わせた送信データとなっている。
【０００７】
スイッチャー１０９からのいずれかのＴＳは、次に、ＴＳ分離部１０３によって映像・音声などのエレメンタリーストリーム（Ｅｌｅｍｅｎｔａｒｙ  Ｓｔｒｅａｍ；以下、単にＥＳという）に分離される。１２セグメント映像復号部１０４、１セグメント映像復号部１０５および音声復号部１０６は、それぞれ入力したＥＳを復号して、外部の出力装置２０に映像信号と音声信号を出力する。出力装置２０は、映像出力部２０１および音声出力部２０２によって、映像と音声を出力する。
【０００８】
１２セグメント放送、１セグメント放送ともに対応したデジタル放送受信装置としては、１２セグメント／１セグメントの受信の選択を、ユーザーの選択操作によるものの他に、表示画面サイズや表示能力により１２セグメント／１セグメントを自動的に切替えるものがある（例えば特許文献１、２参照）。
【０００９】
すなわち、特許文献１に記載のように、表示部で表示される画面サイズが、設定されたサイズか或いはこれよりも大きい場合には１３セグメント放送を受信するように制御し、表示される画面サイズが設定されたサイズよりも小さい場合には１セグメント放送を受信するように制御するもの、あるいは、特許文献２に記載のように、データチャンネルに多重されている映像オブジェクトの映像データと映像音声チャンネルに多重されている映像音声データとを同期させて表示することで映像オブジェクトを画面上で視聴者が選択できるようにしたものが知られている。
【００１０】
さらに、第１デジタルチューナーから出力された映像信号と第２デジタルチューナーから出力された映像信号とを合成して出力する２画面合成部を備えることで、第１規格のデジタル放送波の番組と第２規格のデジタル放送波の番組を同時に視聴できるようにしたものがある（例えば特許文献３参照）。
【特許文献１】特開２００４−２８９７１２号公報
【特許文献２】特開２００２−１８５８８５号公報
【特許文献３】特開２００１−３３９６６４号公報
【発明の開示】
【発明が解決しようとする課題】
【００１１】
しかしながら、前記従来のデジタル放送受信装置の場合、１２セグメントチューナー、１セグメントチューナーの２つのチューナーを有していながら、いずれかのチューナーが選択的に使用され、専ら１２セグメント放送か１セグメント放送のいずれか一方が視聴できるのみであった。
【００１２】
本発明は、従来の問題を解決するためになされたもので、１２セグメントチューナー、１セグメントチューナーの２つのチューナーを同時に使用し、１２セグメント放送と１セグメント放送の両方を同時に、かつ選択的に複数の表示装置において視聴することが可能なデジタル放送受信装置を提供するものである。
【００１３】
また、本発明は、車載装置の場合には、デジタル放送の映像の他、カーナビゲーションシステムの映像、ＤＶＤ（Ｄｉｇｉｔａｌ Ｖｅｒｓａｔｉｌｅ Ｄｉｓｃ）の映像、アナログ放送の映像等といった様々な映像を、前席側表示装置および後席側表示装置等の複数の表示装置に選択的に表示させることができるようにするものである。
【課題を解決するための手段】
【００１４】
上記課題を解決するため、本発明のデジタル放送受信装置は、デジタル放送の一の階層を受信する第一の受信手段と、前記第一の受信手段によって受信したストリームの多重分離を行う第一の多重分離手段と、前記第一の多重分離手段によって分離した映像信号を復号する第一の映像復号手段と、デジタル放送の他の階層を受信する第二の受信手段と、前記第二の受信手段によって受信したストリームの多重分離を行う第二の多重分離手段と、前記第二の多重分離手段によって分離した映像信号を復号する第二の映像復号手段と、前記第一の映像復号手段によって復号された第一の映像と前記第二の映像復号手段によって復号された第二の映像とを、複数の表示装置へ選択的に切替えて出力する表示切替え手段とを備えるものであり、好ましくは、前記第一の受信手段は、地上デジタル放送において伝送帯域を分割して複数階層で構成された放送信号のうち、相対的に弱階層の放送信号を受信し、前記第二の受信手段は、地上デジタル放送において伝送帯域を分割して複数階層で構成された放送信号のうち、相対的に強階層の放送信号を受信する構成となっている。
【００１５】
この構成により、相対的弱階層の放送信号と相対的強階層の放送信号とのチューナーを同時に使用し、例えば１２セグメント放送と１セグメント放送の両方を同時に、かつ選択的に、複数の表示装置において視聴することができる。
【００１６】
また、前記表示切替え手段はさらに、第三の映像を入力し、前記第一ないし第三の映像を、複数の表示装置へ選択的に切替えて出力する。
【００１７】
この構成によって、デジタル放送の映像の他、カーナビゲーションシステムの映像、ＤＶＤの映像、アナログ放送の映像など様々な映像を含めた選択的な表示を行うことが可能となる。
【発明の効果】
【００１８】
本発明は、相対的に弱階層のデジタル放送のストリームを多重分離する第一の多重分離手段と、相対的に強階層のデジタル放送のストリームを多重分離する第二の多重分離手段の二つの多重分離手段を設けるとともに、複数の映像を、複数の表示装置へ選択的に切替えて出力する表示切替え手段を設けることにより、例えば１２セグメント放送と１セグメント放送の両方を同時に、かつ選択的に、複数の表示装置において視聴できるという効果を有するデジタル放送受信装置を提供することができるものである。
【００１９】
また、デジタル放送の映像の他、カーナビゲーションシステムの映像、ＤＶＤの映像、アナログ放送の映像など様々な映像を含めた選択的な表示を行うことができるという効果を有するデジタル放送受信装置を提供することができるものである。
【発明を実施するための最良の形態】
【００２０】
以下、本発明の好ましい実施の形態について、図面を用いて説明する。
【００２１】
（第１の実施の形態）
図１は本発明の第１の実施の形態に係るデジタル放送受信装置を示しており、車両に搭載されるか車両側から電源供給を受けて作動するようになっている。
【００２２】
なお、本実施形態のデジタル放送受信装置は、図２に記した従来のデジタル放送受信装置と同一もしくはそれに相当する構成要素を部分的に備えているので、その部分については図２に示した構成要素と同一の符号を付し、図２に示す従来例と相違する点について詳述する。
【００２３】
まず、構成について説明する。
【００２４】
図１に示すように、本実施形態のデジタル放送受信装置１０は、従来装置と同様な１２セグメントチューナー１０１および１セグメントチューナー１０２を備えているが、両チューナー１０１、１０２に対応して一対のＴＳデマルチプレクサからなるＴＳ分離部１０３Ａおよび１０３Ｂが設けられている。
【００２５】
１２セグメントチューナー１０１は１２セグメントのデジタル放送（地上デジタル放送において伝送帯域を分割して複数階層で構成された放送信号のうち相対的に弱階層の放送信号；一の階層）を受信する第一の受信手段であり、１セグメントチューナー１０２は１セグメントのデジタル放送（地上デジタル放送において伝送帯域を分割して複数階層で構成された放送信号のうち相対的に強階層の放送信号；他の階層）を受信する第二の受信手段である。これら１２セグメントチューナー１０１および１セグメントチューナー１０２は、それぞれ選局機能およびＯＦＤＭ復調機能を有し、受信したデジタル放送信号を放送局から送出されたＴＳパケットに戻すことができる公知のものである。
【００２６】
ＴＳ分離部１０３Ａは、映像、音声、その他のデータ（データ放送、ＥＰＧ（電子番組ガイド）、選曲情報等）を多重化した信号であるＴＳパケット（ＴＳＰ）を１２セグメントチューナー１０１から受け取り、受信した１２セグメント放送のＴＳ、例えばＭＰＥＧ−２ ＴＳを目的別のストリームであるＥＳに分離する第一の多重分離手段となっている。
【００２７】
また、ＴＳ分離部１０３Ｂは、映像、音声、その他のデータを多重化した信号であるＴＳパケットを１セグメントチューナー１０２から受け取り、受信した１セグメント放送のＴＳを目的別のストリームであるＥＳに分離する第二の多重分離手段となっている。
【００２８】
そして、ＴＳ分離部１０３Ａには１２セグメント映像復号部１０４および音声復号部１０６Ａが、ＴＳ分離部１０３Ｂには１セグメント映像復号部１０５および音声復号部１０６Ｂが、それぞれ接続されている。
【００２９】
１２セグメント映像復号部１０４は、ＴＳ分離部１０３Ａによって分離した映像信号を復号する第一の映像復号手段となっており、例えばＭＰＥＧ２Ｖｉｄｅｏを復号可能な集積回路で構成されている。
【００３０】
また、１セグメント映像復号部１０５は、ＴＳ分離部１０３Ｂによって分離した映像信号を復号する第二の映像復号手段となっており、例えばＨ．２６４／ＡＶＣ（ＩＴＵ−Ｔ Ｒｅｃ. Ｈ.２６４／ＩＳＯ／ＭＰＥＧ−４ Ｐａｒｔ１０ Ａｄｖａｎｃｅｄ Ｖｉｄｅｏ Ｃｏｄｉｎｇ）形式の映像信号を復号可能な集積回路で構成されている。
【００３１】
音声復号部１０６Ａ、１０６Ｂは、ＭＰＥＧ２Ａｕｄｉｏ  ＡＡＣ（Ａｄｖａｎｃｅｄ  Ａｕｄｉｏ  Ｃｏｒｄｉｎｇ）などを復号可能な共通の集積回路で構成されている。なお、ここでは１２セグメントと１セグメントで同じ音声復号手段を使用する構成としたが、１２セグメント放送と１セグメント放送に含まれる音声の方式に合わせて、音声復号部１０６Ａ、１０６Ｂを異なる音声復号手段を持つ構成としてもよい。また、映像復号手段１０４、１０５、音声復号部１０６Ａ、１０６Ｂともに、集積回路の代わりに、ソフトウェアによる構成としてもよい。
【００３２】
このように、デジタル放送受信装置１０は、図２に記した従来のデジタル放送受信装置３０と比較して、ＴＳ分離と音声復号の手段をそれぞれ複数設けた点でまず構成が相違している。
【００３３】
このデジタル放送受信装置１０は、さらに、デジタル放送以外の映像／音声を出力する装置としてカーナビゲーションシステム１０７と、複数の映像／音声を入力し複数の装置に選択的に出力するＡＶスイッチャ等の映像／音声切替部１０８を備えている。
【００３４】
そして、１２セグメントチューナー１０１、１セグメントチューナー１０２、カーナビゲーションシステム１０７および映像／音声切替部１０８は、それぞれ図外の操作部への利用者の操作入力に基づいて作動する制御部によって制御され、これらからの映像信号および音声信号がそれぞれ映像／音声切替部１０８を通して外部の複数の出力装置２０Ａ、２０Ｂにそれぞれ出力される。
【００３５】
カーナビゲーションシステム１０７は、少なくとも地図情報を画面表示出力してルート案内を行うことができる公知のものである。
【００３６】
映像／音声切替部１０８は、１２セグメント映像復号部１０４によって復号された第一の映像の映像信号と、１セグメント映像復号部１０５によって復号された第二の映像の映像信号を、複数の表示装置である出力装置２０Ａ、２０Ｂへ選択的に切替えて出力する表示切替え手段となっている。
【００３７】
また、映像／音声切替部１０８は、さらに、カーナビゲーションシステム１０７からの第三の映像の映像信号を入力し、前記第一ないし第三の映像を、出力装置２０Ａ、２０Ｂに選択的に切替えて出力するようになっている。
【００３８】
ここで、複数の出力装置２０Ａ、２０Ｂは、例えば乗用車のフロントシート側に着座したユーザが操作可能な前席側表示装置と、リヤシート側に着座したユーザが操作可能な後席側表示装置となっており、それぞれ映像出力部２０１と音声出力部２０２を有している。
【００３９】
次に、動作について説明する。
【００４０】
以上のように構成されたデジタル放送受信装置１０においては、まず、１２セグメントチューナー１０１および１セグメントチューナー１０２がそれぞれ、相対的に弱階層の放送信号である地上デジタル放送の１２セグメント放送と相対的に強階層の放送信号である１セグメント放送とを受信して受信波の復調を行い、ＴＳ、例えばＭＰＥＧ−２ ＴＳを出力する。
【００４１】
１２セグメントチューナー１０１からのＴＳはＴＳ分離部１０３Ａに入力され、ここで１２セグメント映像ＥＳと音声ＥＳに分離されて、それらのＥＳが１２セグメント映像復号部１０４および音声復号部１０６Ａに入力される。一方、１セグメントチューナー１０２からのＴＳはＴＳ分離部１０３Ｂに入力され、ここで１セグメント映像ＥＳと音声ＥＳに分離されて、それらのＥＳが１セグメント映像復号部１０５および音声復号部１０６Ｂに入力される。
【００４２】
このとき、１２セグメント映像復号部１０４および１セグメント映像復号部１０５は、それぞれに入力された映像ＥＳを復号した映像信号を映像／音声切替部１０８に出力する。また、音声復号部１０６Ａ、１０６Ｂは、それぞれに入力された音声ＥＳを復号した音声信号を映像／音声切替部１０８に出力する。さらに、カーナビゲーションシステム１０７からも、映像信号と音声信号が、映像／音声切替部１０８に出力される。
【００４３】
このような状態において、前記制御部によって制御される映像／音声切替部１０８は、入力された複数の映像／音声を、選択的に、外部の複数の出力装置２０Ａ、２０Ｂに出力し、これら出力装置２０Ａ、２０Ｂがそれぞれの映像出力部２０１および音声出力部２０２によって映像と音声を出力する。
【００４４】
ここで、映像／音声切替部１０８が、複数の映像／音声入力に対して外部の複数の出力装置２０Ａ、２０Ｂに出力を行う際の選択処理について、外部の複数の出力装置２０Ａ、２０Ｂを自動車の車室内における前席側表示装置と後席側表示装置で構成した場合を例にして説明する。
（前席で運転者がカーナビゲーションシステムを利用している場合）
まず、前席で運転者がカーナビゲーションシステムを利用している場合、カーナビゲーションシステム１０７の映像／音声は、映像／音声切替部１０８によって前席側表示装置としての出力装置２０Ａに出力される。この場合、後席側表示装置である出力装置２０Ｂには、１２セグメント放送と１セグメント放送の両方が表示可能であるから、１２セグメントチューナー１０１および１セグメントチューナー１０２のそれぞれの受信状態に応じて、自動的に、映像／音声切替部１０８から後席側出力装置２０Ｂへの出力を切替えてもよいし、使用者が選択操作を行って切替えを行うようにしてもよい。また、１２セグメント放送と１セグメント放送の受信状態がともに良好か否かを前記制御手段側で判定し、良好な場合には、後席側出力装置２０Ｂによって二画面表示を行うように映像／音声切替部１０８からの切替え出力を制御してもよい。
（前席、後席ともにデジタル放送を視聴する場合）
また、前席、後席ともにデジタル放送を視聴する場合は、複数の出力装置２０Ａ、２０Ｂのうちいずれか一方で１２セグメント放送を出力し、もう一方で１セグメント放送を出力するように映像／音声切替部１０８からの切替え出力を制御する。この場合、使用者が選択操作を行ってその操作に応じた切替え制御を実行してもよいが、予め前席／後席の優先度を設定しておき、更に受信状態によって自動的な切替えを行うようにしてもよい。また、前席、後席が同じチャンネルを選択した場合には、受信状態に応じて両方で同じ出力を行うようにしてもよい。
【００４５】
以上のように、本実施形態のデジタル放送受信装置１０によれば、複数のＴＳ分離部１０３Ａ、１０３Ｂと映像／音声切替部１０８を設けることにより、複数階層の放送の映像信号や音声信号を、外部の複数の出力装置２０Ａ、２０Ｂに選択的に切替えて出力するようにしているので、階層の異なる１２セグメント放送と１セグメント放送の両方を同時に、かつ選択的に、複数の出力装置２０Ａ、２０Ｂにおいて視聴できるものである。
【００４６】
さらに、カーナビゲーションシステム１０７のように他の映像信号や音声信号も含め、選択的に複数の出力装置２０Ａ、２０Ｂにおいて表示ができるという効果を有するデジタル放送受信装置１０を提供することができるものである。
【００４７】
なお、以上の説明では、デジタル放送以外の映像／音声を出力する手段として、カーナビゲーションシステム１０７で構成した例について説明したが、ＤＶＤプレーヤー、ＨＤＤプレーヤー、ＳＤビデオプレーヤーなど、他の映像／音声を出力する装置での構成も可能であるし、デジタル放送以外の映像／音声を出力する手段を複数設ける構成も可能である。
【００４８】
例えば、上述した映像／音声切替部１０８の入力側に、更に、図示しないＤＶＤドライブからのプログラムストリーム（Ｐｒｏｇｒａｍ  Ｓｔｒｅａｍ；以下、ＰＳという）、例えばＭＰＥＧ−２ ＰＳをＰＳデマルチプレクサからなるＰＳ分離部を通して取り込むようにすることができ、その場合、後席側出力装置２０Ｂ（一方の表示装置）でＤＶＤドライブの再生出力がなされているときには、前席側出力装置２０Ａ（他方の表示装置）では、１２セグメント放送と１セグメント放送の両方が表示可能となる。勿論、この場合も、１２セグメントチューナー１０１および１セグメントチューナー１０２のそれぞれの受信状態に応じて、自動的に、映像／音声切替部１０８から前席側出力装置２０Ａへの出力が切替えられるようにすることができ、使用者の選択操作に応じて、更に１２セグメント放送と１セグメント放送の受信状態が共に良好か否かを前記制御手段側で判定した結果に応じて、映像／音声切替部１０８からの切替え出力を制御することができる。
【００４９】
また、以上の説明では、地上デジタル放送において伝送帯域を分割して複数階層で構成された放送信号のうち、相対的に弱階層の放送信号を１２セグメント放送、地上デジタル放送において伝送帯域を分割して複数階層で構成された放送信号のうち、相対的に強階層の放送信号を１セグメント放送として説明を行ったが、相対的に弱階層と強階層の組み合わせであれば、９セグメントと３セグメント、３セグメントと１セグメントなどによる構成も可能である。
【産業上の利用可能性】
【００５０】
以上のように、本発明は、１２セグメント放送と１セグメント放送のように相対的に弱階層と強階層の放送を同時に、かつ選択的に複数の表示装置に切替えながら視聴することができるデジタル放送受信装置を提供できるという効果を奏するものであり、１２セグメント放送と１セグメント放送のように相対的に弱階層と強階層の放送を共に受信可能なデジタル放送受信装置全般に有用である。
【図面の簡単な説明】
【００５１】
【図１】本発明の第１の実施の形態に係るデジタル放送受信装置のブロック図
【図２】従来のデジタル放送受信装置のブロック図
【符号の説明】
【００５２】
１０  デジタル放送受信装置
１０１  １２セグメントチューナー（第一の受信手段）
１０２  １セグメントチューナー（第二の受信手段）
１０３Ａ  ＴＳ分離部（第一の多重分離手段）
１０３Ｂ  ＴＳ分離部（第二の多重分離手段）
１０４  １２セグメント映像復号部（第一の映像復号手段）
１０５  １セグメント映像復号部（第二の映像復号手段）
１０６Ａ、１０６Ｂ  音声復号部
１０７  カーナビゲーションシステム
１０８  映像／音声切替部（表示切替え手段）
２０Ａ、２０Ｂ  出力装置（複数の表示装置）
２０１  映像出力部
２０２  音声出力部
【図１】
2007074092.tif 000003
【図２】
2007074092.tif 000004